(57)【特許請求の範囲】
【請求項１】
多数のヘリカルトラックが形成されたテープ状記録媒体から画像データを再生する装置であって、
前記テープ状記録媒体を搬送する搬送手段と、
前記テープ状記録媒体から、静止画像データの記録エリアを示すＩＤデータ、記録時のテープ搬送速度に係るモードデータ及び画像データを含むデジタルデータを再生する再生手段と、
前記再生手段により再生されたデジタルデータ中の前記ＩＤデータを検出するＩＤデータ検出手段と、
前記再生手段により再生されたデジタルデータ中の前記モードデータを検出するモード検出手段と、
前記ＩＤデータ検出手段の出力と前記モード検出手段の出力とに基づいて前記搬送手段の搬送動作を制御する制御手段とを備え、
前記制御手段は、前記テープ状記録媒体を高速で搬送しつつ前記デジタルデータを再生することにより前記静止画像データを検索する静止画検索モードにおいて、前記モード検出手段の出力に基づいて前記記録モードを決定すると共に前記ＩＤデータ検出手段の出力に応じて前記テープ状記録媒体の搬送を停止し、その後前記決定された記録モードに従って前記テープ状記録媒体の搬送を開始するべく前記搬送手段を制御することを特徴とする再生装置。
【請求項２】
前記ＩＤデータとモードデータとは、前記ヘリカルトラッ条の互いに異なるエリアに記録されていることを特徴とする請求項１に記載の再生装置。
【請求項３】
前記制御手段は、前記ＩＤデータ検出手段の出力の状態がｎ回（ｎは２以上の整数）一致した場合に前記テープ状記録媒体の搬送を停止することを特徴とする請求項１に記載の再生装置。
【請求項４】
前記制御手段は、前記モード検出手段の出力の状態がｍ回（ｍは１以上の整数で、ｎ＞ｍ）一致した場合に当該モード検出手段の出力が示すモードに前記記録モードを決定することを特徴とする請求項３に記載の再生装置。
【請求項５】
前記制御手段はマイクロプロセッサによるソフトウェア処理にて前記記録モードの決定動作と前記テープ状記録媒体の半想定しタイミングを決定することを特徴とする請求項１に記載の再生装置。
【請求項６】
テープ状記録媒体から互いにテープ搬送速度が異なる複数の記録モードで記録された画像データを再生する装置であって、
前記テープ状記録媒体を高速で搬送して所定の画像データを検索する検索モードにおいて、前記所定の画像データの記録モードを決定した後に前記所定の画像データを検出したことを決定して前記所定の画像データを再生することを特徴とする再生装置。
【請求項７】
前記テープ状記録媒体には前記記録モードに係るモードデータと、前記所定の画像データを示すＩＤデータとが記録され、再生された前記モードデータに基づいて前記所定の画像データの記録モードを決定すると共に再生された前記ＩＤデータに基づいて前記所定の画像データを検出したことを決定することを特徴とする請求項６に記載の再生装置。
【請求項８】
通常再生モード時と前記検索モード時とで前記記録モードの決定処理を変更することを特徴とする請求項６に記載の再生装置。
【請求項９】
多数のヘリカルトラックが形成され、静止画像データと動画像データとが記録時のテープ速度が異なる複数の記録モードで記録されたテープ状記録媒体から画像データを再生する装置であって、
前記テープ状記録媒体から、静止画像データの記録エリアを示すＩＤデータ、前記記録モードに係るモードデータ及び画像データを含むデジタルデータを再生する再生手段と、
前記再生手段により再生されたデジタルデータ中の前記ＩＤデータとモードデータとに基づいて前記テープ状記録媒体の搬送動作を制御する制御手段とを備え、
前記制御手段は、前記テープ状記録媒体を高速で搬送しつつ前記ＩＤデータに基づいて前記静止画像データを検出すると共に前記モードデータに基づいて前記記録モードを判別し、当該記録モードに従う速度で前記テープ状記録媒体を所定時間搬送して前記静止画像データを再生した後前記テープ状記録媒体の搬送を停止する静止画検索モードにおいて、前記静止画像データの検出よりも前記記録モードの判別を先に行うことを特徴とする再生装置。
【発明の詳細な説明】
【０００１】
【発明の属する技術分野】
本発明は再生装置に関し、特には、すでに静止画像データと動画像データとが記録時のテープ搬送速度が異なる複数のモードで記録されているテープ状記録媒体から画像データを再生する装置に関する。
【０００２】
【従来の技術】
この種の装置として、従来より、画像信号をデジタル信号として磁気テープに記録するデジタルＶＴＲが知られている。
【０００３】
そして、近年、ＨＤデジタルＶＣＲ評議会より、民生用のデジタルＶＴＲのフォーマット案（ＤＶ規格）が提示された。
【０００４】
このＤＶ規格においては、テープ上に動画像信号と、所定時間の静止画像とを記録可能になっており、特に、静止画像信号の記録部分には、その静止画像の検索のため、ＰＰＩＤと呼ばれるＩＤ信号を５秒間記録することが決められている。
【０００５】
また、このＤＶ規格においては、互いにテープの搬送速度が異なる２つの記録モード、即ち、標準の速度である１８ｍｍ／ｓでテープを搬送してデジタル信号を記録再生するＳＰモードと、標準速度よりも遅い１２ｍｍ／ｓでテープを搬送してデジタル信号を記録再生するＬＰモードとが用意されており、テープ上に形成された多数のヘリカルトラックの所定のエリアに記録時のモードを示すモードデータを記録するようにしている。
【０００６】
【発明が解決しようとする課題】
さて、前述の通り、ＤＶ規格においてはＳＰモードとＬＰモードとが用意されているため、静止画記録についてもＳＰモードとＬＰモードの両方で記録再生することが考えられる。
【０００７】
そして、このようにＳＰモードもしくはＬＰモードで記録された静止画像信号を検索して再生する場合、当然記録時のモードに対応したモードで再生する必要がある。
【０００８】
しかし、前述のようにＰＰＩＤは５秒間しか記録されておらず、ＰＰＩＤを使った静止画像信号の検索（以下フォトサーチという）時には当然テープを記録時よりも高速で搬送するのでＰＰＩＤを検出できる期間が非常に短くなってしまう。
【０００９】
また、フォーマット上、ＰＰＩＤとモードデータとは各トラックの離れたエリアに記録されるため、フォトサーチ時のようにテープを高速で搬送した場合に、ＰＰＩＤとモードデータとを共に良好な状態で検出することは難しい。
【００１０】
従って、限られた期間内にＰＰＩＤを検出した上、更に、モードデータを検出して再生モードを決定して快適なフォトサーチを実現するのは非常に困難であった。
【００１１】
また、このような問題は、互いにテープの搬送速度が異なる複数のモードで記録された特定の信号をテープを高速で搬送して検索する場合にも同様に発生する。
【００１２】
本発明は前述の如き問題を解決することを目的とする。
【００１３】
本発明の他の目的は、静止画像信号が複数の記録モードで記録されている場合であっても、これを快適に検索可能とする処にある。
【００１４】
【課題を解決するための手段】
前述の如き課題を解決し、前記目的を達成するため、本発明は、多数のヘリカルトラックが形成されたテープ状記録媒体から画像データを再生する装置であって、前記テープ状記録媒体を搬送する搬送手段と、前記テープ状記録媒体から、静止画像データの記録エリアを示すＩＤデータ、記録時のテープ搬送速度に係るモードデータ及び画像データを含むデジタルデータを再生する再生手段と、前記再生手段により再生されたデジタルデータ中の前記ＩＤデータを検出するＩＤデータ検出手段と、前記再生手段により再生されたデジタルデータ中の前記モードデータを検出するモード検出手段と、前記ＩＤデータ検出手段の出力と前記モード検出手段の出力とに基づいて前記搬送手段の搬送動作を制御する制御手段とを備え、前記制御手段は、前記テープ状記録媒体を高速で搬送しつつ前記デジタルデータを再生することにより前記静止画像データを検索する静止画検索モードにおいて、前記モード検出手段の出力に基づいて前記記録モードを決定すると共に前記ＩＤデータ検出手段の出力に応じて前記テープ状記録媒体の搬送を停止し、その後前記決定された記録モードに従って前記テープ状記録媒体の搬送を開始するべく前記搬送手段を制御するように構成されている。
【００１５】
【発明の実施の形態】
以下、本発明の実施の形態について説明する。
【００１６】
本形態では、本発明を前述のＤＶフォーマットに従うデジタルＶＴＲに適用した場合について説明する。
【００１７】
まず、本形態のＶＴＲによりテープ状に形成されるトラックフォーマットについて説明する。
【００１８】
図４は本形態のＶＴＲによりテープ上に形成される１本のトラックのフォーマットを示す図である。図において、各トラックはヘッド走査方向から順にＩＴＩエリア４０１、オーディオエリア４０２、ビデオエリア４０３及びサブコードエリア４０４を有する。そして、図４に示したオーディオ、ビデオ、サブコードの各エリアは複数のシンクブロックからなるデータが記録されており、前述の記録モードを示すデータは、オーディオエリア４０２における最初の２つのシンクブロック（以下プリシンクという）４０５及び、ビデオエリア４０３におけるプリシンク４０６に記録される。
【００１９】
また、図５はサブコードエリアの各シンクブロックの様子を示す図である。
【００２０】
サブコードの各シンクブロックは、先頭から、シンクデータ５０１、ＩＤデータ５０２、サブコードデータ５０３及びデータパリティ５０４となっており、前述のＰＰＩＤはサブコードエリア４０４のシンクブロックのＩＤ５０２に記録される。
【００２１】
次に、前述の静止画像信号の記録とＰＰＩＤについて説明する。
【００２２】
一般に、前述の如き静止画像信号の記録は、ＰＰＩＤによる検索を考え、５秒より長い期間、例えば６秒間行われる。このように静止画像記録を行う場合には、記録方法は大別して以下の２通りに分類することができる。
【００２３】
１．５秒間のＰＰＩＤ及び静止画像信号の記録終了後約１秒間は同一の静止画像信号を記録する
２．静止画像信号を約１秒間記録した後に引き続きＰＰＩＤと静止画像信号を５秒間記録する
【００２４】
図６に示す様に、１の方式によって記録された静止画像記録部分（以下タイプＡという。）は、約６秒間の静止画像信号記録部分の前方５秒間にＰＰＩＤが記録されており、２の方式によって記録された静止画像記録部分（以下タイプＢという）は静止画像信号記録部分の後方５秒間にＰＰＩＤが記録されていることになる。以下に説明する実施形態では、タイプＡで静止画像データが記録されているものとする。
【００２５】
次に、本発明が適用されるデジタルＶＴＲについて説明する。
【００２６】
図１は本発明が適用されるデジタルＶＴＲの再生系の構成を示す図である。
【００２７】
図１において、１０１は磁気テープ、１０２は磁気テープ１０１に対して音声及び画像信号を記録再生するヘッド１１５が搭載されたドラムシリンダ、１０３は磁気テープ１０１を搬送するためのキャプスタン、１０４は記録再生ヘッド１１５からの再生出力を増幅するための再生アンプ、１０５は前記再生アンプ１０４によって増幅された再生データを受けてＰＰＩＤを検出し、ＰＰＩＤの有無を表すロジック信号を生成するＰＰＩＤ検出回路、１０６は再生データを受けて前述のモードデータを検出し、ＳＰモードかＬＰモードかを示すロジック信号を生成する記録モード検出回路、１０７は再生データを受けて画像信号を復号してその情報量を伸長すると共に、音声信号を復号して元の画像信号及び音声信号を得て出力回路１１６に出力し、更に、出力画像のフレーム周期に同期したフレームパルスを制御回路１０８に出力する信号処理回路、１０８は本実施例におけるシステム全体を制御する制御回路、１０９はキャプスタンの周囲に着磁されたマグネットから回転周波数を表すＦＧ（Frequency Generator）信号を生成するためのMR素子、１１０はMR素子１０９によって生成されたＦＧ信号を増幅・波形整形することで、キャプスタンの回転周波数を表す方形波信号（ＣＦＧという）を生成するＣＦＧアンプ、１１１は制御回路によって生成されたキャプスタン制御信号を受けて、キャプスタンモータ１０３を駆動するキャプスタンドライバ、１１２はドラムシリンダ１０２の回転数を表すＦＧ信号を生成するためのピックアップ、１１３はピックアップ１１２によって生成されたＦＧ信号を増幅・波形整形することで、ドラムシリンダの回転周波数を表す方形波信号（以下ＤＦＧという）を生成するＤＦＧアンプ、１１４は制御回路によって生成されたドラムモータ制御信号を受けて、ドラムシリンダ１０２を回転駆動するドラムドライバ、１１５はユーザがＶＴＲの記録・再生・停止等を指示するための操作部、１１６は信号処理回路１０７により得られた画像・音声信号を外部モニタ等の出力装置に適した形式の信号に変換する出力回路、１１７は記録・再生や後述のフォトサーチ等の指示を行う複数のスイッチを有する操作部である。
【００２８】
このような構成において、フォトサーチ時の動作について説明する。
【００２９】
図３はフォトサーチ時の手順を説明するための図である。
【００３０】
図３において、前述の通り、本形態では、テープ１０１の静止画記録部分６秒間のうち、開始から５秒間ＰＰＩＤが記録されている。
【００３１】
操作部１１７によりフォトサーチの指示があると、制御回路１０８はまずドラムモータ１０２を起動してその回転が安定した後キャプスタン１０３を起動する。本形態では、フォトサーチ時にはＳＰモードの通常再生時におけるテープ搬送速度の９．５倍の速度でテープ１０１を高速に搬送して静止画像データを検索する。
【００３２】
そして、キャプスタンが９．５倍の搬送速度で安定した状態３０１においてＰＰＩＤ検出回路１０５及びモード検出回路１０６からのロジック信号をチェックする。この状態でテープ位置が静止画像データの記録位置にさしかかると、ＰＰＩＤ検出回路１０５からのロジック信号はＰＰＩＤ「なし」を示す状態からＰＰＩＤ「あり」を示す状態へと変化する。
【００３３】
ＰＰＩＤ検出回路１０５からのロジック信号の状態が「なし」から「あり」を示す状態に変化すると、制御回路１０８は直ちにキャプスタン１０３によるテープ１０１の搬送を停止する。その後再び１倍速（後述するように、この時にはすでに静止画像データの記録モードに対応した速度に設定されている）で搬送させて数フレーム程度のわずかな距離を走行させた後、静止画像データを確実に得るために間欠駆動のスロー再生３０４を行った後テープの搬送を停止してスチル再生モード３０５に移行する。
【００３４】
ここで、１倍速再生３０３はその後の間欠スロー再生３０４時におけるテープの停止位置を調整するために行う動作で、キャプスタン１０３起動後、直ちに再停止する必要がある。これは、ここでテープ走行距離を長くしてしまうと、その後最終的にスチル再生３０５に移行した時のテープ位置が静止画記録部分を通過してしまうという問題が発生するためである。
【００３５】
また、このとき、１倍速再生３０３〜間欠スロー再生３０４〜スチル再生３０５におけるテープ搬送速度を検出された静止画像データの記録モードに従う速度とすることは、再生データのエラーのない良好な静止画像を早く得るために非常に重要である。
【００３６】
そのため、本形態では、記録モードの検出を静止画記録部分の範囲内において行っている。フォトサーチ時におけるモード検出の動作について、図２のタイミングチャートを用いて説明する。
【００３７】
図２のタイミングチャートは、前述の本形態におけるフォトサーチにおいて、ＬＰモードで記録された動画像データの記録エリアからＳＰモードで記録された静止画像データの記録エリアに移行したときの装置各部の制御タイミングを示す図である。
【００３８】
図２において、（ａ）、（ｂ）、（ｃ）はそれぞれ信号処理回路１０７、記録モード検出回路１０６及びＰＰＩＤ検出回路１０５からの出力信号の様子を示している。また、（ｄ）は制御回路１０８の内部で設定した再生モードを示しており、モードによって１倍速再生時や間欠スロー再生時のテープ搬送速度の制御目標値が異なる。また、（ｅ）はキャプスタン１０３により実際に搬送されるテープ１０１の搬送速度を示している。
【００３９】
制御回路１０８はマイクロプロセッサによるソフトウェア処理にてモード判別動作を行っており、通常再生時においては、複数フレーム期間（例えば数十フレーム）に１回の割合で割り込み処理を行うことにより記録モード検出回路１０６からの信号を用いてモード判別動作を行う。これに対し、フォトサーチ時においては図２（ａ）に示した様に、信号処理回路１０７からのフレームパルスが入力される毎に、即ち、毎フレーム割り込み処理にて記録モード検出回路１０７からの出力信号を判別する。
【００４０】
また、フォトサーチ中、テープ位置が動画像記録エリアから静止画像記録エリアにさしかかると、ＰＰＩＤ検出回路１０５の出力信号もＰＰＩＤ「なし」の状態から「あり」の状態に変化する。
【００４１】
前述のように、制御回路１０８はフレームパルスのエッジごとにこれらの信号をチェックしているが、誤判別を避けるために、複数回の一致を確認することで内部の再生モードを決定している。
【００４２】
このとき、本形態では、記録モードについては２回の、ＰＰＩＤについては３回の一致により確定する。
【００４３】
即ち、記録モード検出回路１０６からの検出信号が２０１、２０２において２回とも一致したことを確認すると、内部的な再生モードをＬＰからＳＰに切り換える。また、ＰＰＩＤ検出信号が２０３、２０４、２０５と３回続けて一致したことを検出すると、静止画像記録エリアであると判断してテープ１０１の搬送を停止する。
【００４４】
ここで、ＰＰＩＤの検出動作よりも、記録モードの判別動作の方を先に行うように一致確認の回数を設定していることが、フォトサーチ時においては非常に重要である。
【００４５】
即ち、ＰＰＩＤの検出の方を先に行ってしまうと、検出された静止画像データの再生モードが正確なモードではないまま図３における１倍速再生３０３〜間欠スロー再生３０４〜スチル再生３０５の一連の動作において誤った再生モードに従う速度でテープ１０１が搬送されることになるという問題が生じる。正しい再生モードでテープを搬送しない場合には、再生データ中のエラーが非常に多くなってしまい、再生画像が非常に見苦しいものになる。
【００４６】
そのため、本形態では、記録モードについては２回の一致で、また、ＰＰＩＤについては３回の一致で判別するように設定することで、図３における停止時３０２においては既に正しい再生モードに設定することが可能になる。
【００４７】
従って、その後のテープの搬送速度も正しい再生モードに従う搬送速度となり、再生データ中のエラーの発生を防ぐことができる。
【００４８】
このように、本形態では、静止画像データを検索する静止画検索モードにおいて、静止画像データの判別に先立って当該静止画像データの記録モードの判別を行っているので、静止画像データの検出後すぐさま正しい記録モードに従う速度でテープを搬送することができる。
【００４９】
従って、静止画検索時のテープ速度の切り換えの際の画面の乱れを少なくすることができる。
【００５０】
また、本形態では、静止画検索時における記録モードの判別を行う周期を通常再生時よりも短くしているので、高速にテープを搬送しつつ画像データを再生する場合であっても記録モードの変化をすぐさま検出することができると共に通常再生時におけるマイクロプロセッサの割り込み処理の負担を少なくすることができる。
【００５１】
なお、前述の実施形態では、静止画像データの検出をＰＰＩＤの３回の一致によって行い、記録モードの判別をモードデータの２回の一致によって行っていたが、記録モードの判別が静止画像データの検出よりも先に行われる、即ち、モードデータの一致の回数をＰＰＩＤの一致の回数よりも少なく設定するものであれば、これ以外にも設定可能である。
【００５２】
【発明の効果】
以上説明したように、本発明によれば、動画像データと静止画像データとが複数の記録モードで記録されている場合であっても、静止画像データを快適に検索することができる。
【図面の簡単な説明】
【図１】本発明を適用したデジタルＶＴＲの構成を示す図である。
【図２】図１の装置による静止画像データの検索動作を説明するためのタイミングチャートである。
【図３】図１の装置による静止画データの検索時のテープの搬送動作を説明するための図である。
【図４】図１の装置により再生されるデータのフォーマットを示す図である。
【図５】図１の装置により再生されるデータのフォーマットを示す図である。
【図６】図１の装置により再生される静止画像データの記録の様子を示す図である。
【図１】
0003809264.tif 000002
【図２】
0003809264.tif 000003
【図３】
0003809264.tif 000004
【図４】
0003809264.tif 000005
【図５】
0003809264.tif 000006
【図６】
0003809264.tif 000007